(57)【特許請求の範囲】
【請求項１】
埋立てごみ等のごみ処理において、ごみ入り袋の搬送中にごみ入り袋内を探知機で探知して処理不適物を検出し、検出結果に基づいて当該ごみ入り袋を搬送中に除去することを特徴とするごみ処理における危険物除去方法。
【請求項２】
ごみ入り袋が投入されるホッパーの底部に上昇搬送コンベアの始端側を位置させ、前記上昇搬送コンベアの終端側下方に水平方向に搬送運動を行う搬送コンベアの始端側を位置させ、搬送コンベアの搬送経路両側上方に前記搬送コンベアと同じ搬送方向を有し、搬送コンベア側を下にして幅方向を斜めに傾かせた搬送距離の短い傾斜搬送コンベアを設置し、両傾斜搬送コンベアの終端側下方に前記搬送コンベアと直交する方向に搬送運動を行う搬送距離の短い積込用コンベアを設置し、前記積込用コンベアの終端側下方に位置する搬送コンベアにおけるこの位置より搬送下流側の上方に処理不適物を識別する探知機を設置すると共に、搬送コンベアの側方に前記探知機からの信号により起動し、ごみ入り袋を搬送コンベア上から排除する排除装置を設置したことを特徴とする危険物除去装置。
【発明の詳細な説明】
【０００１】
【発明の属する技術分野】
この発明は、ごみ処理において、破砕や圧縮等を行う前に、処理不適物を識別除去することにより、安全で良好な作業環境下で作業を行うことができる様にした危険物除去方法及び装置に関するものである。
【０００２】
【従来の技術】
埋立てごみの処理においては、埋立て場所の延命策として、ごみを破砕したり圧縮したり、あるいは破砕した上に圧縮する減容処理などが行われている。
この破砕及び圧縮の減容処理の過程で、ごみに混入しているスプレー缶、小型ボンベ、金属塊やコンクリート塊等の処理不適物によって、爆発、発火、処理装置の破損、人身事故等が発生する恐れがあった。
【０００３】
爆発、発火、処理装置の破損、人身事故等を避けるため、現状ではあらかじめ破袋機等で、ごみ袋を引き裂いて内容物を取出し、目視選別で作業者が処理不適物を除去していた。この破袋作業ではほこり、臭気等がひどく、作業環境が悪く、更に、目視選別のための広いスペースと多くの人員を必要としていた。
【０００４】
【発明が解決しようとする課題】
ごみの分別収集を完全徹底させることむずかしいので、ごみの中に小型ボンベ、スプレー缶、コンクリート塊、アスファルト塊、金属塊等の処理不適物が含まれていることは避けられず、この処理不適物による爆発、発火、装置破損などの事故発生の危険が常にごみ処理施設には内在していた。
そこで、本発明においては、ごみ処理中に処理不適物を含んだごみ袋を排除出来る様にすることにより、処理不適物に起因した事故の発生を未然に防止しようとするものである。
【０００５】
【課題を解決するための手段】
本発明は、埋立てごみ等のごみ処理において、ごみ入り袋の搬送中にごみ入り袋内を探知機で探知して処理不適物を検出し、検出結果に基づいてごみ入り袋を搬送中に除去することにより、上記課題を解決せんとするものである。
【０００６】
又、ごみ入り袋が投入されるホッパーの底部に上昇搬送コンベアの始端側を位置させ、前記上昇搬送コンベアの終端側下方に水平方向に搬送運動を行う搬送コンベアの始端側を位置させ、搬送コンベアの搬送経路両側上方に前記搬送コンベアと同じ搬送方向を有し、搬送コンベア側を下にして幅方向を斜めに傾かせた搬送距離の短い傾斜搬送コンベアを設置し、両傾斜搬送コンベアの終端側下方に前記搬送コンベアと直交する方向に搬送運動を行う搬送距離の短い積込用コンベアを設置し、前記積込用コンベアの終端側下方に位置する搬送コンベアにおけるこの位置より搬送下流側の上方に処理不適物を識別する探知機を設置すると共に、搬送コンベアの側方に前記探知機からの信号により起動し、ごみ入り袋を搬送コンベア上から排除する排除装置を設置して危険物除去装置を構成することにより、上記課題を解決した。
【０００７】
【発明の実施の形態】
本発明の実施の形態を図１乃至図４に基づいて詳細に説明する。
図１に示すホッパー１内にごみを入れたごみ入り袋２（図３参照）を投入し、ホッパー１の底部に位置した振動コンベア３上に落下させ、該振動コンベア３の振動で積重って集合密着しているごみ入り袋２をバラバラに分離させた後、ホッパー１の底部を始端として斜め上方に向って架設された上昇搬送コンベア４の始端側に落下させ、上昇搬送コンベア４の終端側に配置された搬送平準化装置５に搬送する様になっている。
【０００８】
尚、上昇搬送コンベアの搬送経路上方には図２に示すスキバローラ６が設けられており、上昇搬送コンベア４上の積重っているごみ入り袋２，２，…の上部をこのスキバローラ６の回転により崩してごみ入り袋２の積重ねを更に平均化するようになっている。
【０００９】
搬送平準化装置５は図１，３，４に示すように、函体７の中央に水平方向に搬送運動を行う搬送コンベア８と、この搬送コンベア８の上方に位置し、搬送コンベア８と同じ搬送方向を有し、搬送コンベア８の搬送経路の両側に搬送コンベア８側を下にして幅方向を斜めに傾けて設置された搬送距離の短い傾斜搬送コンベア９，９′と、前記傾斜搬送コンベア９，９′の搬送出口側下方で、かつその両側にこれと直交する方向に設けられた搬送距離の短い積込用コンベア１０，１０′とからなっている。
【００１０】
そして、上昇搬送コンベア４の搬送速度をＶ０とし、搬送コンベア８の搬送速度をＶ１
とし、両傾斜搬送コンベア９，９′の搬送速度をＶ２とし、積込用コンベア１０，１０′の搬送速度をＶ３とした場合、各コンベアの搬送速度はＶ０＜Ｖ２＜Ｖ３＜Ｖ１の関係になる様にそれぞれの搬送速度は設定されている。
【００１１】
前記搬送平準化装置５において、上昇搬送コンベア４で搬送された各ごみ入り袋２は両傾斜搬送コンベア９，９′及び搬送コンベア８上に落下する。そして、両傾斜搬送コンベア９，９′はその幅方向が搬送コンベア８の搬送経路側に傾いているので、両傾斜搬送コンベア９，９′上のごみ入り袋２は搬送中に傾斜面に沿って搬送コンベア８上にずり落ちる。
【００１２】
一方、両傾斜搬送コンベア９，９′の終端位置まで搬送されたごみ入り袋２は積込用コンベア１０，１０′上に落下し、積込用コンベア１０，１０′より搬送用コンベア８上に移し替えられる。
【００１３】
この様にして、各コンベア上に積重なっているごみ入り袋２は搬送中に次第に荷崩れし、各コンベアの搬送速度の差により、最終的には一番搬送速度の速い搬送コンベア８上を積重ねられていない分離した状態のごみ入り袋２が逐次移動するようになる。
【００１４】
搬送コンベア８により搬送平準化装置５から出た各ごみ入り袋２は搬送平準化装置５の外側で進行方向上方に設置されたＸ線探知機等の探知機１１で内部の処理不適物が識別され、その識別結果により進行方向側の側面に設置された異物の排除装置１２が起動し、処理不適物の混入しているごみ入り袋２（図５参照）を押し出して搬送コンベア８上から排除し、処理不適物の混入していないごみ入り袋２のみを次工程の破砕装置１３に搬送し、ここでごみを破砕し、次工程に送ることになる。
【００１５】
【発明の効果】
本発明は前記のように構成したもので、ごみ入り袋を搬送中に探知機で検出し、処理不適物が混入しているごみ入り袋を排除して処理不適物の混入していないごみ入り袋のみを次工程に送るので、ごみ袋を破袋する必要がなく、粉塵や悪臭が発生せず、作業環境が向上する。
【００１６】
又、処理不適物の排除により、破砕や圧縮行程における不適物による爆発、発火、装置破損などの事故を未然に防止することができる。
【００１７】
更に、積重なり密集しているごみ入り袋を各コンベアにより順次荷崩れさせ、平準化されたごみ入り袋を探知機で識別するので、識別を確実に行うことができ、識別精度が高い、等の効果を有し、極めてすぐれた実用的価値を有する。
【００１８】
【図面の簡単な説明】
【図１】  本発明の実施の形態の一例の配置を示す平面図。
【図２】  上昇搬送コンベアとスキバローラとの関係を示す側面図。
【図３】  上昇搬送コンベアと搬送平準化装置との関係を示す断面図。
【図４】  図３の反対側から見た断面図。
【図５】  ごみ入り袋の排除手段を示す平面図。
【符号の説明】
１      ホッパー
２      ごみ入り袋
３      振動コンベア
４      上昇搬送コンベア
５      搬送平準化装置
６      スキバローラ
７      函体
８      搬送コンベア
９      傾斜搬送コンベア
９′    傾斜搬送コンベア
１０      積込用コンベア
１０′    積込用コンベア
１１      探知機
１２      排除装置
１３      破砕装置
【図１】
0003665115.tif 000002
【図２】
0003665115.tif 000003
【図３】
0003665115.tif 000004
【図４】
0003665115.tif 000005
【図５】
0003665115.tif 000006